(57)【要約】【課題】主面が略正方形であるバッテリを収納方向で迷うことなく収納する。【解決手段】バッテリ収納ケース３内のコーナー部３０ａ〜３０ｄ, ３１ａ〜３１ｄにおいて、バッテリ２のフレーム部２１の両端に設けられた突起部２６,２７を収容できる空間が形成される。上蓋３０においてはコーナー部３０ａ〜３０ｄにおいて前記空間が形成されるように前記コーナー部付近の内壁面３０１ａ〜３０１ｄに板状に形成されたリブ３０２ａ〜３０２ｈが設けられる。下蓋３０においてはコーナー部３１ａ〜３１ｄにおいて前記空間が形成されるように前記コーナー部付近の内壁面３１１ａ〜３１１ｄに板状に形成されたリブ３１２ａ〜３１２ｈが設けられる。前記空間はバッテリ２のキャップ部２３の両端に設けられ突出方向が前記突起部と垂直である突起部も収容できるように形成するとなおよい。【選択図】  図１
2006185821.tif 000002
【特許請求の範囲】
【請求項１】
扁平な略直方体で主面が略正方形であるバッテリを収納するバッテリ収納ケースであって、
前記バッテリ収納ケース内のコーナー部において、前記バッテリ側面の長手方向の両端に設けられた突起部または前記バッテリ側面と対向する面の両端に設けられ突出方向が前記突起部と垂直である突起部を収納できる空間を形成させるリブを設けたこと
を特徴とするバッテリ収納ケース。
【請求項２】
前記リブは、板状に形成され、前記空間が形成されるように前記コーナー部付近の内壁面に設けられたことを特徴とする請求項１記載のバッテリ収納ケース。
【請求項３】
前記リブは、板状に形成され、前記空間が形成されるように前記コーナー部の内壁面と平行となるように設けられたことを特徴とする請求項１記載のバッテリ収納ケース。
【請求項４】
前記リブは、直方体状に形成され、前記空間が形成されるように前記バッテリ収納ケースの底面の辺に沿って設けられたを特徴とする請求項１記載のバッテリ収納ケース。
【発明の詳細な説明】
【技術分野】
【０００１】
本発明は電子機器のバッテリ用のバッテリ収納ケースに関する。
【背景技術】
【０００２】
近年、デジタルカメラに代表される撮像装置の小型化、軽量化に伴い、撮像装置に装着されるバッテリは小型化、軽量化に有利な直方体型に形成されている。バッテリを適用する撮像装置では、バッテリの誤挿入や撮像装置の破損を防ぐために曲げモーメントに耐える剛性を有した部材で撮像装置を形成する必要があり、小型化、軽量化の妨げとなっていた。
【０００３】
そこで、特許文献１に示されたバッテリ１６は、図１６に示したように撮像装置への誤挿入を防ぐために主面が長方形の形状、すなわち、挿入方向の辺の長さを幅方向の辺の長さよりも長く設定した直方体状に形成し、その外装部１６０の辺に切欠部１６１を形成させることにより、誤挿入を確実に防止しさらにはこのバッテリ１６が装着される撮像装置等の小型化、軽量化を容易にしている。外装部１６０にはバッテリ１６が装着される撮像装置の端子と電気的に接続する端子１６２が設けられている。切欠部１６１の設置数、設置箇所は、端面１６３が対称中心を有さないように決定される。一方、バッテリ１６を収納する撮像装置内の電池ホルダーは、外装部１６０の外形形状とほぼ同一の内部形状を有すると共に電池ホルダーを収納した際に切欠部１６１と係合する突部を有する。尚、特許文献１に示されたバッテリと同類のものとしては、特許文献２〜４に示されたバッテリがある。
【０００４】
そして、このようなバッテリがスペアとして携帯される場合、通常、前記装置のケースのポケットや前記バッテリに対応したバッテリ収納ケースに収納される。
【特許文献１】特開２００３−３１７６８９
【特許文献２】特開平１１−３０７０７２号公報
【特許文献３】特開２００１−７６７００
【特許文献４】特開平１１−３６９２号公報
【発明の開示】
【発明が解決しようとする課題】
【０００５】
昨今、前記撮像装置等のバッテリが着脱自在に具備される装置のさらなる小型化及び軽量化が図られ、これに伴いバッテリのさらなる小型化が要請されている。そこで、前記直方体型のバッテリをさらに小型化するために、主面が略正方形であるバッテリが必要とされつつある。
【０００６】
しかしながら、主面が略正方形であるバッテリは、このバッテリが挿入装着される装置に対して誤挿入させてしまうばかりでなく、バッテリ収納ケースに収納する際でも収納方向で迷う可能性がある。そして、このバッテリを無理な方向で収納させると、バッテリを破損させてしまう可能性がある。
【０００７】
本発明は、かかる事情に鑑みなされたもので、その目的は、主面が略正方形であるバッテリを収納方向で迷うことなく収納できるバッテリ収納ケースの提供にある。
【課題を解決するための手段】
【０００８】
そこで、本発明のバッテリ収納ケースは、扁平な略直方体で主面が略正方形であるバッテリを収納するバッテリ収納ケースであって、前記バッテリ収納ケース内のコーナー部において、前記バッテリ側面の長手方向の両端に設けられた突起部または前記バッテリ側面と対向する面の両端に設けられ突出方向が前記突起部と垂直である突起部を収納できる空間を形成させるリブを設けたことを特徴とする。
【０００９】
前記リブは、板状に形成され、前記空間が形成されるように前記コーナー部付近の内壁面に設けられたことを特徴とする。
【００１０】
また、前記リブは、板状に形成され、前記空間が形成されるように前記コーナー部の内壁面と平行となるように設けられたことを特徴とする。
【００１１】
さらに、前記リブは、直方体状に形成され、前記空間が形成されるように前記バッテリ収納ケースの底面の辺に沿って設けられたを特徴とする。
【００１２】
以上のバッテリ収納ケースによれば、バッテリ収納ケース内のコーナー部において、主面が略正方形であるバッテリの側面の両端に設けられた突起部を収容できる空間が形成されているので、前記バッテリを収納する際に収納方向で迷うことがなくなる。
【発明の効果】
【００１３】
したがって、本発明のバッテリ収納ケースによれば、主面が略正方形であり側面部に突起部を有するバッテリを収納方向で迷うことなく収納できる。これにより、バッテリ収納時のバッテリの破損が回避される。
【発明を実施するための最良の形態】
【００１４】
（実施形態例１）
図１は本発明のバッテリ収納ケースの実施形態例を示した概観図である。
【００１５】
バッテリ収納ケース３は、バッテリ２を収納するためのケースであり、電気絶縁性を有する合成樹脂からなる。この合成樹脂は既知のものを採用すればよい。
【００１６】
バッテリ２は図１２に示された撮像装置１のような電子装置に装着され電源として利用される。撮像装置１は、その正面部に撮像レンズ１０４とフラッシュ１０４ａとＡＦイルミネータ１０４ｂとレンズカバー１０５とを備えている。レンズカバー１０５はスライド方式に撮像レンズ１０４とフラッシュ１０４ａとＡＦイルミネータ１０４ｂとをカバーする。ＡＦイルミネータ１０４ｂは暗い場所でフォーカスを合わすための補助光を発するものである。また、撮像装置１は、バッテリ２を格納する格納部１０ａを有すると共に、バッテリ挿入側側面部には、図１２に示したように、電源ボタン１００と、バッテリ２が撮像装置１内に挿入そして装着されたときバッテリ２を係止する手段としてのロック爪１１５と、装着したバッテリ２を密閉する手段としての蓋１１６と、撮像装置１を保持するためのストラップ金具１１７と、バッテリ２を受け入れる開口部１１８とを備える。ストラップ金具１１７は撮影時に親指を当てることにより保持しやすくする働きもする。
【００１７】
格納部１０ａには、リブ１１９と端子板１２０が具備されている。端子板１２０はバネ弾性を有する端子１２１を備えている。リブ１１９はバッテリ２が格納部１０ａに格納された状態のときバッテリ２に形成された凹部２３０（図１３）と当接する。端子１２１はバッテリ２が格納部１０ａに格納された状態のときバッテリ２の端子接触部２２２（図１３）と電気的に接続する。
【００１８】
ロック爪１１５は図１２の矢印方向に移動可能に設けられ、図示省略されたバネによって開口部１１８方向に付勢されている。また、ロック爪１１５は傾斜面１１５ａを形成している。傾斜面１１５ａはバッテリ２の排出量を補うためのものである。すなわち、バッテリ２が撮像装置１から排出される際に前記バネの接触圧により押されたロック爪１１５が傾斜面１１５ａによってバッテリ２のフレーム部２１に形成された突起部２７の下に潜り込ませてバッテリ２の排出を促進させている。
【００１９】
バッテリ２は、図１３に示したように略正方形の主面を有する電池セル（図示省略）を収納するフレーム部２１と、このフレーム部２１の外側面に配置された回路基板部（図示省略）をフレーム部２１の外側面との間で挟むようにして前記フレーム部２１及び電池セルの一端側に取付けられるキャップ部２３と、前記電池セル及びフレーム部２１を一体的に被覆する外装フィルム（図示省略）とを備えている。
【００２０】
フレーム部２１は、長手方向に突出する突起部２６，２７を形成させたことで撮像装置１へのバッテリ２の誤挿入を防止することを可能としている。
【００２１】
突起部２６は、図１３に示されたように、略直方体状に形成されている。このとき、図１２記載の撮像装置１の側面においてはバッテリ２が撮像装置１に装着されたとき突起部２６を露出させた状態で収容する切り欠き部１２２が形成されている。切欠き部１２２の切り欠き面積はバッテリ２のフレーム部２１に対する突起部２６の設置面積以上に設定される。
【００２２】
突起部２７は、図１３に示されたように、断面が略台形状となるよう形成されたことにより傾斜面２７０を有している。さらに、突起部２７には、バッテリ２が撮像装置１の開口部１１８を介して撮像装置１内に装着されたとき、ロック爪１１５がバッテリ２を係止する際に、ロック爪１１５によって係止される被係止面２７１が形成されている。
【００２３】
被係止面２７１は、その高さがフレーム部２１の面よりも低く設定されることで、ロック爪１１５によって係止される箇所を明確化させている。また、これと同時に、バネの接触圧を受けているロック爪１１５を抑止できるようになっている。また、被係止面２７１は、その面の摩擦係数が周辺部の摩擦係数に比べて小さくなっている。これにより、係止される箇所がより明確化させている。さらに、ロック爪１１５が滑り易くなるので、迅速に係止されるようになっている。
【００２４】
また、バッテリ２のキャップ部２３の両端部には、図１４及び図１５に示した実施形態例のバッテリ２Ａように、挿入方向に突出する形状の異なる突起部２８，２９を形成させて撮像装置１へのバッテリ２Ａの誤挿入を防止させてもよい。突起部２８は断面が略台形状となるよう形成されている。突起部２９は略直方体状に形成されている。
【００２５】
図１に示されたバッテリ収納ケース３は上蓋３０と下蓋３１とからなる。
【００２６】
上蓋３０は、バッテリ２を収容できるように、少なくともバッテリ２の主面よりも広い面積を確保した正方形の面３００を有する箱型の容器からなる。下蓋３１も、バッテリ２を収容できるように、少なくともバッテリ２の主面よりも広い面積を確保した正方形の面３１０を有する箱型の容器からなる。上蓋３０と下蓋３１は一体に形成された折り目３２１を有するヒンジ部３２により開閉可能となっている。
【００２７】
また、上蓋３０の外壁３０４の開口側面にはその長手方向に沿って所定長さの凸部３３が設けられる一方で、下蓋３１の外壁３１４の開口側面には凸部３３が係止される凹部３４０を有する指掛け部３４が設けられている。指掛け部３４には指が掛けやすくなるように溝３４１ａ，３４１ｂが形成されている。
【００２８】
さらに、上蓋３１の外壁３１４の開口側面にはその長手方向に沿って所定長さの凸部３５が設けられる一方で、上蓋３０の外壁３０４の開口側面には凸部３５が係止される凹部３６０を有する指掛け部３６が設けられている。指掛け部３６には指が掛けやすくなるように溝３６１ａ，３６１ｂが形成されている。
【００２９】
下蓋３１の外縁には上蓋３０の外壁３０４を受ける面３１３が形成されている。面３１３は下蓋３１の内壁３１１の高さよりも低く設定されている。一方、上蓋３０の内縁には下蓋３１の内壁３１１を受ける面３０３が形成されている。面３０３は上蓋３０の外壁３０４の高さよりも低く設定されている。
【００３０】
上蓋３０の各コーナー部３０ａ，３０ｂ，３０ｃ，３０ｄ及び下蓋３１の各コーナー部３１ａ，３１ｂ，３１ｃ，３１ｄにおいては、バッテリ２の突起部２６，２７を収容できる空間が形成されている。
【００３１】
図１に示された形態では、上蓋３０のコーナー部３０ａ付近において、リブ３０２ａが内壁面３０１ａ及び面３００と垂直となるように設けられる共に、リブ３０２ｂが内壁面３０１ｄ及び面３１０と垂直となるように設けられることにより、前記空間が形成されている。そして、これに対応するように、下蓋３１のコーナー部３１ａ付近において、リブ３１２ａが内壁面３１１ａ及び面３１０と垂直となるように設けられる共に、リブ３１２ｂが内壁面３１１ｄ及び面３１０と垂直となるように設けられることにより、前記空間が形成されている。また、このとき、リブ３１２ａ及び３１２ｂは図４（ａ）に示されたように上蓋３０と下蓋３１とが閉じられたとき図４（ｂ）に示されたＡ−Ａ断面図のようにそれぞれリブ３０２ａ及び３０２ｂと縦列に重なるように設けられる。
【００３２】
上蓋３０のコーナー部３０ｂ付近においては、リブ３０２ｃが内壁面３０１ａ及び面３００と垂直となるように設けられる共に、リブ３０２ｄが内壁面３０１ｂ及び面３１０と垂直となるように設けられることにより、前記空間が形成されている。そして、これに対応するように、下蓋３１のコーナー部３１ｂ付近において、リブ３１２ｃが内壁面３１１ａ及び面３１０と垂直となるように設けられる共に、リブ３１２ｄが内壁面３１１ｂ及び面３１０と垂直となるように設けられることにより、前記空間が形成されている。また、このとき、リブ３１２ｃ及び３１２ｄは図４（ａ）に示されたように上蓋３０と下蓋３１とが閉じられたとき図４（ｂ）に示されたようにそれぞれリブ３０２ｃ及び３０２ｄと縦列に重なるように設けられる。
【００３３】
上蓋３０のコーナー部３０ｃ付近においては、リブ３０２ｅが内壁面３０１ｂ及び面３００と垂直となるように設けられる共に、リブ３０２ｆが内壁面３０１０ｃ及び面３１０と垂直となるように設けられることにより、前記空間が形成されている。そして、これに対応するように、下蓋３１のコーナー部３１ｃ付近において、リブ３１２ｅが内壁面３１１ｂ及び面３１０と垂直となるように設けられる共に、リブ３１２ｆが内壁面３１１ｃ及び面３１０と垂直となるように設けられることにより、前記空間が形成されている。また、このとき、リブ３１２ｅ及び３１２ｆは図４（ａ）に示されたように上蓋３０と下蓋３１とが閉じられたとき図４（ｂ）に示されたものと同様にそれぞれリブ３０２ｅ及び３０２ｆと縦列に重なるように設けられる。
【００３４】
上蓋３０のコーナー部３０ｃ付近においては、リブ３０２ｅが内壁面３０１ｂ及び面３００と垂直となるように設けられる共に、リブ３０２ｆが内壁面３０１０ｃ及び面３１０と垂直となるように設けられることにより、前記空間が形成されている。そして、これに対応するように、下蓋３１のコーナー部３１ｃ付近において、リブ３１２ｅが内壁面３１１ｂ及び面３１０と垂直となるように設けられる共に、リブ３１２ｆが内壁面３１１ｃ及び面３１０と垂直となるように設けられることにより、前記空間が形成されている。また、このとき、リブ３１２ｅ及び３１２ｆは図４（ａ）に示されたように上蓋３０と下蓋３１とが閉じられたとき図４（ｂ）に示されたものと同様にそれぞれリブ３０２ｅ及び３０２ｆと縦列に重なるように設けられる。
【００３５】
上蓋３０のコーナー部３０ｄ付近においては、リブ３０２ｇが内壁面３０１ｃ及び面３００と垂直となるように設けられる共に、リブ３０２ｈが内壁面３０１０ｄ及び面３１０と垂直となるように設けられることにより、前記空間が形成されている。そして、これに対応するように、下蓋３１のコーナー部３１ｄ付近において、リブ３１２ｇが内壁面３１１ｃ及び面３１０と垂直となるように設けられる共に、リブ３１２ｈが内壁面３１１ｄ及び面３１０と垂直となるように設けられることにより、前記空間が形成されている。また、このとき、リブ３１２ｇ及び３１２ｈは図４（ａ）に示されたように上蓋３０と下蓋３１とが閉じられたとき図４（ｂ）に示されたようにそれぞれリブ３０２ｇ及び３０２ｈと縦列に重なるように設けられる。
【００３６】
また、リブ３０２ａ〜３０２ｈは図１に示されたように同サイズの長方体形状に形成され、特に、図３及び図４（ａ）に示したようにバッテリ２を収容できるように、図２に示した通り、リブ３０２ａと３０２ｃとが平行、リブ３０２ｄと３０２ｅとが平行、リブ３０２ｆと３０２ｇとが平行、リブ３０２ｈと３０２ｂとが平行となるように設けられる。さらに、３１２ａ〜３１２ｈも図１に示されたように同サイズの長方体形状に形成され、特に、図３及び図４（ａ）に示したようにバッテリ２を収容できるように、図２に示した通り、リブ３１２ａと３１２ｃとが平行、リブ３１２ｄと３１２ｅとが平行、リブ３１２ｆと３１２ｇとが平行、そしてリブ３１２ｈと３１２ｂとが平行となるように設けられる。リブ３０２ａ〜３０２ｈ及び３１２ａ〜３１２ｈの幅方向の長さはバッテリ２に設けられた突起部２６，２７の長さに応じて定まる。また、図示されたリブ３０２ａ〜３０２ｈはその高さが内壁面３０１ａ,３０１ｂ,３０１ｃ,３０１ｄの高さと同等となっているが、バッテリ２を収納できればよいので、前記リブの高さは適宜定めてもよい。下蓋３１におけるリブ３１２ａ,３１２ｂ,３１２ｃ,３１２ｄも同様である。また、本実施形態例では、各リブの側面にバッテリ２を受けるバッテリ受け部が設けられている。すなわち、図２に示したように、上蓋３０におけるリブ３０２ａ,３１２ｂ,３０２ｃ,３０２ｄ, ３０２ｅ,３０２ｆ,３０２ｇ,３０２ｈの側面にそれぞれバッテリ受け部３０２ａ１,３０２ｂ１,３０２ｃ１,３０２ｄ１, ３０２ｅ１,３１２ｆ１,３０２ｇ１,３０２ｈ１が設けられている。同様に、下蓋３１におけるリブ３１２ａ,３１２ｂ,３１２ｃ,３１２ｄ,３１２ｅ,３１２ｆ,３１２ｇ,３１２ｈの側面にそれぞれバッテリ受け部３１２ａ１,３１２ｂ１,３１２ｃ１,３１２ｄ１,３０２ｅ１,３１２ｆ１,３１２ｇ１,３１２ｈ１が設けられている。尚、上蓋３０におけるリブは上蓋３０の内壁面と面３００とによって支持される形態で設けられているが、この形態に限定されず、内壁面または面３００において支持されるように設けてもよい。下蓋３１に設けられるリブも同様である。
【００３７】
したがって、本実施形態例のバッテリ収納ケース３によれば、図５及び図６に示したように、任意の収納形態でバッテリ２を収納できる。
【００３８】
すなわち、図５（ａ）に示したように、突起部２６がコーナー部３１ｂに収容されると共に突起部２７がコーナー部３１ａに収容された状態でバッテリ２をバッテリ収納ケース３に収納できる。このとき、上蓋３０と下蓋３１が閉じられた状態でバッテリ２を収納できることは前述の図４を参照しながらの構成の説明から明らかである。
【００３９】
図５（ｂ）に示したように、図５（ａ）記載のバッテリ２を裏返した状態、すなわち、突起部２６がコーナー部３１ｃに収容されると共に突起部２７がコーナー部３１ｄに収容された状態でバッテリ２をバッテリ収納ケース３に収納できる。このとき、上蓋３０と下蓋３１が閉じられた状態でバッテリ２を収納できることは前述の図４を参照しながらの構成の説明から明らかである。
【００４０】
図５（ｃ）に示したように、突起部２６がコーナー部３１ｃに収容されると共に突起部２７がコーナー部３１ｂに収容された状態でバッテリ２をバッテリ収納ケース３に収納できる。このとき、上蓋３０と下蓋３１が閉じられた状態でバッテリ２を収納できることは前述の図４を参照しながらの構成の説明から明らかである。
【００４１】
図５（ｄ）に示したように、図５（ｃ）記載のバッテリ２を裏返した状態、すなわち、突起部２６がコーナー部３１ｄに収容されると共に突起部２７がコーナー部３１ａに収容された状態でバッテリ２をバッテリ収納ケース３に収納できる。このとき、上蓋３０と下蓋３１が閉じられた状態でバッテリ２を収納できることは前述の図４を参照しながらの構成の説明から明らかである。
【００４２】
また、図６（ａ）に示したように、突起部２６がコーナー部３１ｄに収容されると共に突起部２７がコーナー部３１ｃに収容された状態でバッテリ２をバッテリ収納ケース３に収納できる。このとき、上蓋３０と下蓋３１が閉じられた状態でバッテリ２を収納できることは前述の図４を参照しながらの構成の説明から明らかである。
【００４３】
図６（ｂ）に示したように、図６（ａ）記載のバッテリ２を裏返した状態、すなわち、突起部２６がコーナー部３１ａに収容されると共に突起部２７がコーナー部３１ｂに収容された状態でバッテリ２をバッテリ収納ケース３に収納できる。このとき、上蓋３０と下蓋３１が閉じられた状態でバッテリ２を収納できることは前述の図４を参照しながらの構成の説明から明らかである。
【００４４】
図６（ｃ）に示したように、突起部２６がコーナー部３１ａに収容されると共に突起部２７がコーナー部３１ｄに収容された状態でバッテリ２をバッテリ収納ケース３に収納できる。このとき、上蓋３０と下蓋３１が閉じられた状態でバッテリ２を収納できることは前述の図４を参照しながらの構成の説明から明らかである。
【００４５】
図６（ｄ）に示したように、図６（ｃ）記載のバッテリ２を裏返した状態、すなわち、突起部２６がコーナー部３１ｂに収容されると共に突起部２７がコーナー部３１ｃに収容された状態でバッテリ２をバッテリ収納ケース３に収納できる。このとき、上蓋３０と下蓋３１が閉じられた状態でバッテリ２を収納できることは前述の図４を参照しながらの構成の説明から明らかである。
【００４６】
また、バッテリ収納ケース２は図７に示したようなバッテリ２Ａを収納できるように形成するとなおよい。バッテリ２Ａは、図１５に示したように、撮像装置１への挿入面であるキャップ部２３の両端部において、挿入方向（図１４）に突出する形状の異なる突起部２８，２９を形成させて、撮像装置１対するバッテリ２Ａの誤挿入、特にバッテリ２を横にした状態での挿入を防止させている。
【００４７】
このとき、バッテリ収納ケース２において、リブ３０２ａ〜３０２ｈ及び３１２ａ〜３１２ｈの幅方向の長さはバッテリ２Ａに設けられた突起部２６，２７，２８及び２９の長さに応じて定まる。かかる構成のバッテリ収納ケース２によれば、図８及び図９に示したように、任意の収納形態でバッテリ２Ａを収納できる。
【００４８】
すなわち、図８（ａ）に示したように、突起部２６がコーナー部３１ｂに収容された状態、突起部２７がコーナー部３１ａに収容された状態、突起部２８がコーナー部３１ｃに収容された状態、そして突起部２９がコーナー部３１ｄに収容された状態で、バッテリ２Ａをバッテリ収納ケース３に収納できる。このとき、上蓋３０と下蓋３１が閉じられた状態でバッテリ２Ａを収納できることは前述の図４を参照しながらの構成の説明から明らかである。
【００４９】
図８（ｂ）に示したように、図８（ａ）記載のバッテリ２Ａを裏返した状態、すなわち、突起部２６がコーナー部３１ｃに収容された状態、突起部２７がコーナー部３１ｄに収容された状態、突起部２８がコーナー部３１ｂに収容された状態、そして突起部２９がコーナー部３１ａに収容された状態で、バッテリ２Ａをバッテリ収納ケース３に収納できる。このとき、上蓋３０と下蓋３１が閉じられた状態でバッテリ２Ａを収納できることは前述の図４を参照しながらの構成の説明から明らかである。
【００５０】
図８（ｃ）に示したように、突起部２６がコーナー部３１ｃに収容された状態、突起部２７がコーナー部３１ｂに収容された状態、突起部２８がコーナー部３１ｄに収容された状態、そして突起部２９がコーナー部３１ａに収容された状態で、バッテリ２Ａをバッテリ収納ケース３に収納できる。このとき、上蓋３０と下蓋３１が閉じられた状態でバッテリ２Ａを収納できることは前述の図４を参照しながらの構成の説明から明らかである。
【００５１】
図８（ｄ）に示したように、図８（ｃ）記載のバッテリ２を裏返した状態、すなわち、突起部２６がコーナー部３１ｄに収容された状態、突起部２７がコーナー部３１ａに収容された状態、突起部２８がコーナー部３１ｃに収容された状態、そして突起部２９がコーナー部３１ｂに収容された状態で、バッテリ２Ａをバッテリ収納ケース３に収納できる。このとき、上蓋３０と下蓋３１が閉じられた状態でバッテリ２Ａを収納できることは前述の図４を参照しながらの構成の説明から明らかである。
【００５２】
また、図９（ａ）に示したように、突起部２６がコーナー部３１ｄに収容された状態、突起部２７がコーナー部３１ｃに収容された状態、突起部２８がコーナー部３１ａに収容された状態、そして突起部２９がコーナー部３１ｂに収容された状態で、バッテリ２Ａをバッテリ収納ケース３に収納できる。このとき、上蓋３０と下蓋３１が閉じられた状態でバッテリ２を収納できることは前述の図４を参照しながらの構成の説明から明らかである。
【００５３】
図９（ｂ）に示したように、図９（ａ）記載のバッテリ２を裏返した状態、すなわち、突起部２６がコーナー部３１ａに収容された状態、突起部２７がコーナー部３１ｂに収容された状態、突起部２８がコーナー部３１ｄに収容された状態、そして突起部２９がコーナー部３１ｃに収容された状態で、バッテリ２Ａをバッテリ収納ケース３に収納できる。このとき、上蓋３０と下蓋３１が閉じられた状態でバッテリ２を収納できることは前述の図４を参照しながらの構成の説明から明らかである。
【００５４】
図９（ｃ）に示したように、突起部２６がコーナー部３１ａに収容された状態、突起部２７がコーナー部３１ｄに収容された状態、突起部２８がコーナー部３１ｂに収容された状態、そして突起部２９がコーナー部３１ｃに収容された状態で、バッテリ２Ａをバッテリ収納ケース３に収納できる。このとき、上蓋３０と下蓋３１が閉じられた状態でバッテリ２Ａを収納できることは前述の図４を参照しながらの構成の説明から明らかである。
【００５５】
図９（ｄ）に示したように、図９（ｃ）記載のバッテリ２Ａを裏返した状態、すなわち、突起部２６がコーナー部３１ｂに収容された状態、突起部２７がコーナー部３１ｃに収容された状態、突起部２８がコーナー部３１ａに収容された状態、そして突起部２９がコーナー部３１ｄに収容された状態で、バッテリ２をバッテリ収納ケース３に収納できる。このとき、上蓋３０と下蓋３１が閉じられた状態でバッテリ２を収納できることは前述の図４を参照しながらの構成の説明から明らかである。
【００５６】
バッテリ収納ケース３内のコーナー部においては、バッテリ３の側面の両端に設けられた突起部２６，２７，２８，２９を収容できる空間が確保できればよいので、図１に示した実施形態例に限定されず、例えば、図１０及び図１１に示されたバッテリ収納ケースのような構成にしてもよい。
【００５７】
（実施形態例２）
図１０（ａ）に示されたバッテリ収納ケース３Ａは、上蓋３０の面３００において、バッテリ２または２Ａが収容され且つコーナー部３０ａ，３０ｂ，３０ｃ，３０ｄにおいてバッテリ２の突起部２６，２７またはバッテリ２Ａの突起部２６，２７，２８，２９が収容される空間が確保されるように、所定長さに設定された板状に形成されたリブを内壁面から一定の距離を隔てると共に前記内壁面に対して平行となるように設けている。すなわち、リブ３０５ａは内壁面３０１ａから一定の距離が隔てられ且つ内壁面３０１ａに対して平行となるように設けられている。リブ３０５ｂは内壁面３０１ｂから一定の距離が隔てられ且つ内壁面３０１ｂに対して平行となるように設けられている。リブ３０５ｃは内壁面３０１ｃから一定の距離が隔てられ且つ内壁面３０１ｃに対して平行となるように設けられている。リブ３０５ｄは内壁面３０１ｄから一定の距離が隔てられ且つ内壁面３０１ｄに対して平行となるように設けられている。
【００５８】
同様に、下蓋３１の面３０１において、バッテリ２または２Ａが収容され且つコーナー部３１ａ，３１ｂ，３１ｃ，３１ｄにおいてバッテリ２の突起部２６，２７またはバッテリ２Ａの突起部２６，２７，２８，２９が収容される空間が確保されるように、所定長さに設定された板状に形成されたリブを内壁面から一定の距離を隔てると共に前記内壁面に対して平行となるように設けている。すなわち、リブ３１５ａは内壁面３１１ａから一定の距離が隔てられ且つ内壁面３１１ａに対して平行となるように設けられている。リブ３１５ｂは内壁面３１１ｂから一定の距離が隔てられ且つ内壁面３１１ｂに対して平行となるように設けられている。リブ３１５ｃは内壁面３１１ｃから一定の距離が隔てられ且つ内壁面３１１ｃに対して平行となるように設けられている。リブ３１５ｄは内壁面３１１ｄから一定の距離が隔てられ且つ内壁面３１１ｄに対して平行となるように設けられている。
【００５９】
また、リブ３０５ａとリブ３１５ａは、図４（ａ）に示されたように上蓋３０と下蓋３１とが閉じられたとき、図１０（ｂ）に示されたＢ−Ｂ断面図のように、互いに縦列に重なるように設けられる。そして、リブ３０５ｂとリブ３１５ｂと関係、リブ３０５ｃとリブ３１５ｃの関係、及びリブ３０５ｂとリブ３１５ｂの関係も、同様に設定される。さらに、リブ３０５ａ,３０５ｂ,３０５ｃ,３０５ｄと内壁面３０１ａ,３０１ｂ,３０１ｃ,３０１ｄとの距離は収納されるバッテリのサイズ特にバッテリに設けられた突起部の長さに応じて定まる。同様に、リブ３１５ａ,３１５ｂ,３１５ｃ,３１５ｄと内壁面３１１ａ,３１１ｂ,３１１ｃ,３１１ｄとの距離も収納されるバッテリのサイズ特にバッテリに設けられた突起部の長さに応じて定まる。また、図示されたリブ３０５ａ〜３０５ｄはその高さが内壁面３０１ａ〜３０１ｄの高さと同等となっているが、バッテリ２,２Ａを収納できればよいので、前記リブの高さは適宜定めてもよい。下蓋３１におけるリブ３１５ａ,３１５ｂ,３１５ｃ,３１５ｄも同様である。尚、各リブの側面には、バッテリ収納ケース３のように、バッテリを受けるバッテリ受け部を設けてもよい。
【００６０】
したがって、バッテリ収納ケース３Ａによれば、バッテリ収納ケース３と同様に、任意の収納形態でバッテリ２,２Ａを収納できる。
【００６１】
（実施形態例３）
図１１（ａ）に示されたバッテリ収納ケース３Ｂは上蓋３０の面３００において、バッテリ２または２Ａが収容され且つコーナー部３０ａ，３０ｂ，３０ｃ，３０ｄにおいてバッテリ２の突起部２６，２７またはバッテリ２Ａの突起部２６，２７，２８，２９が収容される空間が確保されるように、所定長さに設定された直方体状に形成されたリブを面３００の辺に沿って設けている。すなわち、リブ３０６ａは内壁面３０１ａにおいて面３００の辺に沿って設けられている。リブ３０６ｂは内壁面３０１ｂにおいて面３００の辺に沿って設けられている。リブ３０６ｃは内壁面３０１ｃにおいて面３００の辺に沿って設けられている。リブ３０５ｄは内壁面３０１ｄにおいて面３００の辺に沿って設けられている。
【００６２】
同様に、下蓋３１の面３０１において、バッテリ２または２Ａが収容され且つコーナー部３１ａ，３１ｂ，３１ｃ，３１ｄにおいてバッテリ２の突起部２６，２７またはバッテリ２Ａの突起部２６,２７,２８，２９が収容される空間が確保されるように、所定長さに設定された直方体状に形成されたリブを面３１０の辺に沿って設けている。すなわち、リブ３１６ａは内壁面３１１ａにおいて面３１０の辺に沿って設けられている。リブ３１６ｂは内壁面３１１ｂにおいて面３１０の辺に沿って設けられている。リブ３１６ｃは内壁面３１１ｃにおいて面３１０の辺に沿って設けられている。リブ３１６ｄは内壁面３１１ｄにおいて面３１０の辺に沿って設けられている。
【００６３】
また、リブ３０６ａとリブ３１６ａは、図４（ａ）に示されたように上蓋３０と下蓋３１とが閉じられたとき、図１１（ｂ）に示されたＣ−Ｃ断面図のように、互いに縦列に重なるように設けられる。そして、リブ３０６ｂとリブ３１６ｂと関係、リブ３１６ｃとリブ３１６ｃの関係、及びリブ３０６ｂとリブ３１６ｂの関係も、同様に設定される。さらに、リブ３０６ａ,３０６ｂ,３０６ｃ,３０６ｄの面３００に対する設置面積は収納されるバッテリのサイズ特にバッテリに設けられた突起部の長さに応じて定まる。同様に、リブ３１６ａ,３１６ｂ,３１６ｃ,３１６ｄの面３１０に対する設置面積も収納されるバッテリのサイズ特にバッテリに設けられた突起部の長さに応じて定まる。また、図示されたリブ３０６ａ〜３０６ｄはその高さが内壁面３０１ａ〜３０１ｄの高さと同等となっているが、バッテリ２,２Ａを収納できればよいので、前記リブの高さは適宜定めてもよい。下蓋３１におけるリブ３１６ａ〜３１６ｄも同様である。尚、各リブの側面には、バッテリ収納ケース３のように、バッテリを受けるバッテリ受け部を設けてもよい。
【００６４】
したがって、バッテリ収納ケース３Ｂによれば、バッテリ収納ケース３と同様に、任意の収納形態でバッテリ２,２Ａを収納できる。
【００６５】
以上の実施形態１〜３で述べたバッテリ収納ケースは撮像装置のバッテリについて適用されたものであるが、前記バッテリ収納ケースは、撮像装置用のバッテリに限定されず、前記撮像装置用以外のバッテリを必要とする装置のバッテリにも適用できる。
【図面の簡単な説明】
【００６６】
【図１】本発明のバッテリ収納ケースの実施形態例を示した概観図。
【図２】本発明のバッテリ収納ケースの実施形態例を示した平面図。
【図３】バッテリが収納された本発明のバッテリ収納ケースの実施形態例を示した平面図。
【図４】（ａ）はバッテリが収納された本発明のバッテリ収納ケースの実施形態例を示した斜視図、（ｂ）はＡ−Ａ断面図。
【図５】（ａ）〜（ｄ）はバッテリの収納形態を示した平面図。
【図６】（ａ）〜（ｄ）はバッテリの収納形態を示した平面図。
【図７】本発明のバッテリ収納ケースの実施形態例を示した平面図。
【図８】（ａ）〜（ｄ）はバッテリの収納形態を示した平面図。
【図９】（ａ）〜（ｄ）はバッテリの収納形態を示した平面図。
【図１０】（ａ）は本発明のバッテリ収納ケースの実施形態例を示した斜視図、（ｂ）はＢ−Ｂ断面図。
【図１１】（ａ）は本発明のバッテリ収納ケースの実施形態例を示した斜視図、（ｂ）はＣ−Ｃ断面図。
【図１２】バッテリとこれが装着される撮像装置の概略図。
【図１３】（ａ）〜（ｆ）は突起部を有するバッテリの側面図。
【図１４】バッテリとこれが装着される撮像装置の概略図。
【図１５】（ａ）〜（ｆ）は突起部を有するバッテリの側面図。
【図１６】主面が長方形であるバッテリの概略図。
【符号の説明】
【００６７】
１…撮像装置
２，２Ａ…バッテリ
３，３Ａ，３Ｂ…バッテリ収納ケース
２１…フレーム部、２３…キャップ部、２６，２７，２８，２９…突起部
３０…上蓋、３１…下蓋、３０ａ〜３０ｄ，３１ａ〜３１ｄ…コーナー部
３２…ヒンジ部、３２１…折り目
３３，３５…凸部、３４，３６…指掛け部
３００，３１０…面
３１１…内壁
３０１ａ〜３０１ｄ，３１１ａ〜３１１ｄ…内壁面
３０２ａ〜３０２ｈ，３１２ａ〜３１２ｈ，３０５ａ〜３０５ｄ，３１５ａ〜３１５ｄ，３０６ａ〜３０６ｄ，３１６ａ〜３１６ｄ…リブ
３０２ａ１〜３０２ｈ１,３１２ａ１〜３１２ｈ１…バッテリ受け部
３０４,３１４…外壁
【図１】
2006185821.tif 000003
【図２】
2006185821.tif 000004
【図３】
2006185821.tif 000005
【図４】
2006185821.tif 000006
【図５】
2006185821.tif 000007
【図６】
2006185821.tif 000008
【図７】
2006185821.tif 000009
【図８】
2006185821.tif 000010
【図９】
2006185821.tif 000011
【図１０】
2006185821.tif 000012
【図１１】
2006185821.tif 000013
【図１２】
2006185821.tif 000014
【図１３】
2006185821.tif 000015
【図１４】
2006185821.tif 000016
【図１５】
2006185821.tif 000017
【図１６】
2006185821.tif 000018